(57)【要約】【課題】デシカントロータ等の吸湿部材を再生する加熱ヒータを必要とすることなく、省エネルギー化を図ることのできる空気調和装置を提供する。【解決手段】冷凍機ユニット３０のカスケードコンデンサ３３によって第１の冷媒回路４０の冷媒と第２の冷媒回路５０の冷媒とを熱交換させるとともに、第２の暖房運転によって第２の熱交換器１６を蒸発器として作用させるようにしたので、各冷蔵ショーケース２０の冷却運転によって吸収した熱を除湿冷房運転及び暖房運転に利用することができるとともに、店舗Ａ内の暖房負荷が冷蔵ショーケース２０の排熱の熱量よりも大きい場合には第２の熱交換器１６によって吸収した熱を暖房運転に利用することができ、従来店舗Ａ外に排出されていた冷蔵ショーケース２０の排熱を一年を通じて有効利用することができるとともに、暖房運転の熱量の不足分を第２の熱交換器１６によって補うことができる。【選択図】図５
2006038293.tif 000002
【特許請求の範囲】
【請求項１】
第１の通風路内を流通する空気と熱交換する第１の熱交換器と、第２の通風路内を流通する空気と熱交換する第２の熱交換器と、第１の通風路内を流通する空気中の水分を吸着して第２の通風路内に放出する吸湿部材と、第１の圧縮機によって第１の熱交換器及び第２の熱交換器に冷媒を循環する第１の冷媒回路とを備えた空気調和装置において、
他の冷凍機器の蒸発器に第２の圧縮機から吐出した冷媒を膨張手段を介して流通させて第２の圧縮機に吸入する第２の冷媒回路と、
第１の冷媒回路の第１の圧縮機に吸入される低温側冷媒と第２の冷媒回路の第２の圧縮機から吐出される高温側冷媒とを熱交換する第３の熱交換器と、
第１の圧縮機から吐出する冷媒を膨張手段を介さずに第２の熱交換器に流通させ、第２の熱交換器から吐出する冷媒の一部を膨張手段を介して第１の熱交換器に流通させるとともに、他の冷媒を第１の熱交換器に流通させずに膨張手段を介して第３の熱交換器に流通させることにより第１の熱交換器によって第１の通風路を流通する空気を冷却する除湿冷房運転用冷媒流通経路と、
第１の圧縮機から吐出する冷媒を膨張手段を介さずに第２の熱交換器に流通させ、第２の熱交換器から吐出する冷媒を膨張手段を介さずに第１の熱交換器に流通させ、第１の熱交換器から吐出する冷媒を膨張手段を介して第３の熱交換器に流通させることにより第１の熱交換器によって第１の通風路を流通する空気を加熱する第１の暖房運転用冷媒流通経路と、
第１の圧縮機から吐出する冷媒を膨張手段を介さずに第１の熱交換器に流通させ、第１の熱交換器から吐出する冷媒の一部を膨張手段を介して第２の熱交換器に流通させるとともに、他の冷媒を第２の熱交換器に流通させずに膨張手段を介して第３の熱交換器に流通させることにより第１の熱交換器によって第１の通風路を流通する空気を加熱する第２の暖房運転用冷媒流通経路と、
各冷媒流通経路を切換える切換手段とを備えた
ことを特徴とする空気調和装置。
【請求項２】
第１の通風路内を流通する空気と熱交換する第１の熱交換器と、第２の通風路内を流通する空気と熱交換する第２の熱交換器と、第１の通風路内を流通する空気中の水分を吸着して第２の通風路内に放出する吸湿部材と、第１の圧縮機によって第１の熱交換器及び第２の熱交換器に冷媒を循環する冷媒回路とを備えた空気調和装置において、
前記冷媒回路に他の冷凍機器の蒸発器及び第２の圧縮機を接続するとともに、第１及び第２の圧縮機から吐出される冷媒を第１の熱交換器、第２の熱交換器及び蒸発器を流通するように構成し、
第１及び第２の圧縮機から吐出する冷媒を膨張手段を介さずに第２の熱交換器に流通させ、第２の熱交換器から吐出する冷媒の一部を膨張手段を介して第１の熱交換器に流通させるとともに、他の冷媒を第１の熱交換器に流通させずに膨張手段を介して蒸発器に流通させることにより第１の熱交換器によって第１の通風路を流通する空気を冷却する除湿冷房運転用冷媒流通経路と、
第１の圧縮機によって冷媒を循環させることなく、第２の圧縮機から吐出する冷媒を膨張手段を介さずに第２の熱交換器に流通させ、第２の熱交換器から吐出する冷媒を膨張手段を介さずに第１の熱交換器に流通させ、第１の熱交換器から吐出する冷媒を膨張手段を介して蒸発器に流通させることにより第１の熱交換器によって第１の通風路を流通する空気を加熱する第１の暖房運転用冷媒流通経路と、
第１及び第２の圧縮機から吐出する冷媒を膨張手段を介さずに第１の熱交換器に流通させ、第１の熱交換器から吐出する冷媒の一部を膨張手段を介して第２の熱交換器に流通させるとともに、他の冷媒を第２の熱交換器に流通させずに膨張手段を介して蒸発器に流通させることにより第１の熱交換器によって第１の通風路を流通する空気を加熱する第２の暖房運転用冷媒流通経路と、
各冷媒流通経路を切換える切換手段とを備えた
ことを特徴とする空気調和装置。
【請求項３】
前記第２の通風路に設けられた風量調整可能な送風機と、
第１の暖房運転時に暖房負荷が増加すると送風機の風量を低下させるとともに、第２の暖房運転時に暖房負荷が増加すると送風機の風量を増加させる制御手段とを備えた
ことを特徴とする請求項１または２記載の空気調和装置。
【請求項４】
前記第２の冷媒回路の高温側冷媒と外気とを熱交換可能な第４の熱交換器を備えた
ことを特徴とする請求項１または３記載の空気調和装置。
【請求項５】
前記第３の熱交換器における第２の冷媒回路側の凝縮圧力を所定圧力以上に調整可能な凝縮圧力調整手段を備えた
ことを特徴とする請求項１、３または４記載の空気調和装置。
【発明の詳細な説明】
【技術分野】
【０００１】
本発明は、例えばスーパーマーケットやコンビニエンスストア等の冷凍・冷蔵ショーケースが設置された店舗内の空調を行う空気調和装置に関するものである。
【背景技術】
【０００２】
従来、この種の空気調和装置としては、第１の通風路内を流通する空気と熱交換する第１の熱交換器と、第２の通風路内を流通する空気と熱交換する第２の熱交換器と、第１の通風路内を流通する空気中の水分を吸着して第２の通風路内に放出する吸湿部材としてのデシカントロータと、圧縮機によって第１の熱交換器及び第２の熱交換器に冷媒を循環する冷媒回路とを備え、第１の熱交換器を流通する冷媒によって第１の通風路内を流通する空気を冷却して所定の空調空間に供給し、第２の熱交換器を流通する冷媒によって第２の通風路内を流通する空気を加熱してデシカントロータの水分を第２の通風路内に放出するようにしたものが知られている（例えば、特許文献１参照）。
【０００３】
また、スーパーマーケットやコンビニエンスストア等の店舗内には、冷凍・冷蔵ショーケースが設置されており、冷凍・冷蔵ショーケースの蒸発器で蒸発した冷媒を店舗外に設置された冷凍機内の熱交換器において外気と熱交換することにより冷媒を凝縮させるようになっている。
【特許文献１】特開２００３−２２７６７７号公報
【発明の開示】
【発明が解決しようとする課題】
【０００４】
しかしながら、従来の空気調和装置では、第１の熱交換器と熱交換される第１の通風路を流通する空気はデシカントロータによって除湿されているため、第１の熱交換器は顕熱のみの熱交換となり、デシカントロータを再生するために必要な第２の通風路内の空気を加熱するための熱量が不足する。このため、別途加熱ヒータを設ける必要があり、消費電力量が多くなるという問題点があった。
【０００５】
また、ショーケース用の熱交換器において冷媒が放出する熱は外部に排出されており、排熱が有効に利用されていないという問題点があった。
【０００６】
本発明は前記問題点に鑑みてなされたものであり、その目的とするところは、デシカントロータ等の吸湿部材を再生する加熱ヒータを必要とすることなく、省エネルギー化を図ることのできる空気調和装置を提供することにある。
【課題を解決するための手段】
【０００７】
本発明は前記目的を達成するために、第１の通風路内を流通する空気と熱交換する第１の熱交換器と、第２の通風路内を流通する空気と熱交換する第２の熱交換器と、第１の通風路内を流通する空気中の水分を吸着して第２の通風路内に放出する吸湿部材と、第１の圧縮機によって第１の熱交換器及び第２の熱交換器に冷媒を循環する第１の冷媒回路とを備えた空気調和装置において、他の冷凍機器の蒸発器に第２の圧縮機から吐出した冷媒を膨張手段を介して流通させて第２の圧縮機に吸入する第２の冷媒回路と、第１の冷媒回路の第１の圧縮機に吸入される低温側冷媒と第２の冷媒回路の第２の圧縮機から吐出される高温側冷媒とを熱交換する第３の熱交換器と、第１の圧縮機から吐出する冷媒を膨張手段を介さずに第２の熱交換器に流通させ、第２の熱交換器から吐出する冷媒の一部を膨張手段を介して第１の熱交換器に流通させるとともに、他の冷媒を第１の熱交換器に流通させずに膨張手段を介して第３の熱交換器に流通させることにより第１の熱交換器によって第１の通風路を流通する空気を冷却する除湿冷房運転用冷媒流通経路と、第１の圧縮機から吐出する冷媒を膨張手段を介さずに第２の熱交換器に流通させ、第２の熱交換器から吐出する冷媒を膨張手段を介さずに第１の熱交換器に流通させ、第１の熱交換器から吐出する冷媒を膨張手段を介して第３の熱交換器に流通させることにより第１の熱交換器によって第１の通風路を流通する空気を加熱する第１の暖房運転用冷媒流通経路と、第１の圧縮機から吐出する冷媒を膨張手段を介さずに第１の熱交換器に流通させ、第１の熱交換器から吐出する冷媒の一部を膨張手段を介して第２の熱交換器に流通させるとともに、他の冷媒を第２の熱交換器に流通させずに膨張手段を介して第３の熱交換器に流通させることにより第１の熱交換器によって第１の通風路を流通する空気を加熱する第２の暖房運転用冷媒流通経路と、各冷媒流通経路を切換える切換手段とを備えている。
【０００８】
これにより、第３の熱交換器において第１の冷媒回路の低温側冷媒と第２の冷媒回路の高温側冷媒が熱交換されるとともに、切換手段によって第２の暖房運転用冷媒流通経路に切換えることにより、第２の熱交換器において第１の冷媒回路の低温側冷媒が第２の通風路を流通する空気と熱交換されることから、第２の通風路内の吸湿部材の水分を第２の通風路内に放出するための熱量及び第１の通風路を流通する空気を加熱するための熱量が第３の熱交換器を介して他の冷凍機器から供給されるとともに、空調空間の暖房負荷が他の冷凍機器から供給された熱量よりも大きい場合には第２の熱交換器が蒸発器として作用し、第２及び第３の熱交換器によって吸収された熱が第１の熱交換器において第１の冷媒回路の高温側冷媒と第１の通風路を流通する空気との熱交換に利用される。
【０００９】
また、第１の通風路内を流通する空気と熱交換する第１の熱交換器と、第２の通風路内を流通する空気と熱交換する第２の熱交換器と、第１の通風路内を流通する空気中の水分を吸着して第２の通風路内に放出する吸湿部材と、第１の圧縮機によって第１の熱交換器及び第２の熱交換器に冷媒を循環する冷媒回路とを備えた空気調和装置において、前記冷媒回路に他の冷凍機器の蒸発器及び第２の圧縮機を接続するとともに、第１及び第２の圧縮機から吐出される冷媒を第１の熱交換器、第２の熱交換器及び蒸発器を流通するように構成し、第１及び第２の圧縮機から吐出する冷媒を膨張手段を介さずに第２の熱交換器に流通させ、第２の熱交換器から吐出する冷媒の一部を膨張手段を介して第１の熱交換器に流通させるとともに、他の冷媒を第１の熱交換器に流通させずに膨張手段を介して蒸発器に流通させることにより第１の熱交換器によって第１の通風路を流通する空気を冷却する除湿冷房運転用冷媒流通経路と、第１の圧縮機によって冷媒を循環させることなく、第２の圧縮機から吐出する冷媒を膨張手段を介さずに第２の熱交換器に流通させ、第２の熱交換器から吐出する冷媒を膨張手段を介さずに第１の熱交換器に流通させ、第１の熱交換器から吐出する冷媒を膨張手段を介して蒸発器に流通させることにより第１の熱交換器によって第１の通風路を流通する空気を加熱する第１の暖房運転用冷媒流通経路と、第１及び第２の圧縮機から吐出する冷媒を膨張手段を介さずに第１の熱交換器に流通させ、第１の熱交換器から吐出する冷媒の一部を膨張手段を介して第２の熱交換器に流通させるとともに、他の冷媒を第２の熱交換器に流通させずに膨張手段を介して蒸発器に流通させることにより第１の熱交換器によって第１の通風路を流通する空気を加熱する第２の暖房運転用冷媒流通経路と、各冷媒流通経路を切換える切換手段とを備えている。
【００１０】
これにより、他の冷凍機器の蒸発器において冷媒回路の低温側冷媒が熱交換されるとともに、切換手段によって第２の暖房運転用冷媒流通経路に切換えることにより、第２の熱交換器において冷媒回路の低温側冷媒が第２の通風路を流通する空気と熱交換されることから、第２の通風路内の吸湿部材の水分を第２の通風路内に放出するための熱量及び第１の通風路を流通する空気を加熱するための熱量が他の冷凍機器の蒸発器から供給されるとともに、空調空間の暖房負荷が他の冷凍機器から供給された熱量よりも大きい場合には第２の熱交換器が蒸発器として作用し、第２の熱交換器及び他の冷凍機器の蒸発器によって吸収された熱が第１の熱交換器において冷媒回路の高温側冷媒と第１の通風路を流通する空気との熱交換に利用される。
【発明の効果】
【００１１】
本発明によれば、他の冷凍機器の冷却運転によって吸収した熱を除湿冷房運転及び暖房運転に利用することができるとともに、空調空間の暖房負荷が他の冷凍機器の排熱の熱量よりも大きい場合には第２の熱交換器によって吸収した熱を暖房運転に利用することができるので、従来、空調空間外に排出されていた他の冷凍機器の排熱を一年を通じて有効利用することができるとともに、暖房運転時の熱量の不足分を第２の熱交換器によって補うことができる。
【発明を実施するための最良の形態】
【００１２】
図１乃至図５は本発明の一実施形態を示すもので、図１は空気調和装置の冷媒回路図、図２は制御系を示すブロック図、図３は除湿冷房運転時の冷媒の流路を示す冷媒回路図、図４は第１の暖房運転時の冷媒の流路を示す冷媒回路図、図５は第２の暖房運転時の冷媒の流路を示す冷媒回路図である。
【００１３】
この空気調和装置は、店舗Ａ内の空調を行う空調ユニット１０と、店舗Ａ内に設置された他の冷凍装置としての複数の冷蔵ショーケース２０と、空調ユニット１０及び各冷蔵ショーケース２０のぞれぞれの熱源となる冷凍機ユニット３０と、空調ユニット１０側の冷凍サイクルを構成する第１の冷媒回路４０と、冷蔵ショーケース２０側の冷凍サイクルを構成する第２の冷媒回路５０と、空調ユニット１０及び各冷蔵ショーケース２０の温度または運転等の制御を行う制御部６０とから構成されている。
【００１４】
空調ユニット１０は、店舗Ａの天井裏または店舗Ａに隣接して設けられたバックヤードまたは機械室内に設置されたユニット本体１１と、除湿冷房時に店舗Ａ内の空気を除湿する吸湿部材としてのデシカントロータ１２と、店舗Ａ内の空気を流通させる空調用送風機１３と、店舗Ａ内の空気を冷却または加熱する第１の熱交換器１４と、店舗Ａ外の空気を流通させる再生用送風機１５と、店舗Ａ外の空気を加熱するための第２の熱交換器１６とを備えている。
【００１５】
ユニット本体１１は、その内部を仕切ることにより並べて設けられた第１の通風路１１ａ及び第２の通風路１１ｂを備え、第１の通風路１１ａの両端部及び第２の通風路１１ｂの両端部にはそれぞれダクトが接続される開口部が設けられている。また、第１の通風路１１ａの両端部は店舗Ａ内にそれぞれ連通するとともに、第２の通風路１１ｂの両端部は店舗Ａ外にそれぞれ連通するようになっている。
【００１６】
デシカントロータ１２は、例えばシリカゲル、ゼオライト等の吸湿剤を含んだエレメント１２ａを円板状に形成した部材からなり、第１の通風路１１ａ及び第２の通風路１１ｂに亘って設けられている。また、デシカントロータ１２は、図示しないモータによってエレメント１２ａを径方向の中心を軸に回転させることにより、第１の通風路１１ａ内と第２の通風路１１ｂ内との間をエレメント１２ａが回転しながら移動するようになっている。
【００１７】
空調用送風機１３は、第１の通風路１１ａ内に設置され、第１の通風路１１ａの一端側から他端側に向かって空気を流通させることにより店舗Ａ内の空気を循環させるようになっている。
【００１８】
第１の熱交換器１４は、第１の通風路１１ａ内のデシカントロータ１２の下流側に設けられ、デシカントロータ１２によって除湿された店舗Ａ内の空気を加熱または冷却するようになっている。
【００１９】
再生用送風機１５は、第２の通風路１１ｂ内に設置され、第１の通風路１１ａ内の空気の流れ方向と逆向きに店舗Ａ外の空気を第２の通風路１１ｂ内に流通させるようになっている。また、再生用送風機１５は送風量を変更可能に構成されている。
【００２０】
第２の熱交換器１６は、第２の通風路１１ｂ内のデシカントロータ１２の上流側に設けられ、第２の通風路１１ｂを流通する空気を加熱または冷却するようになっている。
【００２１】
各冷蔵ショーケース２０は、前面を開放したオープンショーケースや前面をガラス扉によって開閉するリーチインショーケース等からなり、それぞれの冷蔵ショーケース２０の内部には第２の冷媒回路５０に接続された蒸発器２１が設けられている。また、それぞれの冷蔵ショーケース２０内部には各冷蔵ショーケース２０内の空気と蒸発器２１内の冷媒とをそれぞれ熱交換させる蒸発器用送風機２２が設けられている。
【００２２】
冷凍機ユニット３０は、第１の冷媒回路４０に接続された第１の圧縮機３１と、第２の冷媒回路５０に接続された第２の圧縮機３２と、第３の熱交換器としての周知のカスケードコンデンサ３３とを備え、カスケードコンデンサ３３によって第１の冷媒回路４０の冷媒と第２の冷媒回路５０の冷媒とを熱交換させるようになっている。また、カスケードコンデンサ３３の第２の冷媒回路５０側の吐出側には、カスケードコンデンサ３３の第２の冷媒回路５０側の凝縮圧力が所定の圧力以下にならないように調整可能な凝縮圧力調整弁３４が設けられている。また、凝縮圧力調整弁３４の吐出側には液化した冷媒を一時的に貯蔵する受液器３５が設けられている。
【００２３】
第１の冷媒回路４０は、図１に示すように、第１の熱交換器１４、第２の熱交換器１６、第１の圧縮機３１、カスケードコンデンサ３３、四方弁４１、第１、第２、第３、第４及び第５の電磁弁４２ａ，４２ｂ，４２ｃ，４２ｄ，４２ｅ、第１、第２及び第３の膨張弁４３ａ，４３ｂ，４３ｃを備え、これらは冷媒流通用の配管によって接続されている。即ち、第１の圧縮機３１の吐出側には四方弁４１の第１の冷媒流通口が接続され、四方弁４１の第２の冷媒流通口には第２の熱交換器１６の一端側が接続されている。第２の熱交換器１６の他端側には第１の熱交換器１４の一端側が接続され、第１の熱交換器１４の他端側には四方弁の第３の冷媒流通口が接続されている。このとき、第２の熱交換器１６の他端側と第１の熱交換器１４の一端側との間には第１の電磁弁４２ａ及び第１の膨張弁４３ａがそれぞれ並列に設けられ、それぞれ並列に設けられた第１の電磁弁４２ａ及び第１の膨張弁４３ａと第１の熱交換器１４の一端側との間には第２の電磁弁４２ｂ及び第２の膨張弁４３ｂがそれぞれ並列に設けられている。また、第１の電磁弁４２ａ及び第１の膨張弁４３ａと第２の電磁弁４２ｂ及び第２の膨張弁４３ｂとの間にはカスケードコンデンサ３３の第１の冷媒回路４０側の吸入側が接続され、カスケードコンデンサ３３の吐出側には第１の圧縮機３１の吸入側が接続されている。このとき、第１の電磁弁４２ａ及び第１の膨張弁４３ａと第２の電磁弁４２ｂ及び第２の膨張弁４３ｂとの間とカスケードコンデンサ３３の第１の冷媒回路４０側の吸入側との間には第３の電磁弁４２ｃが設けられ、第３の電磁弁４２ｃのカスケードコンデンサ３３側には第３の膨張弁４３ｃが設けられている。更に、四方弁４１の第４の冷媒流通口と第１の圧縮機３１の吸入側が接続され、その間には第４の電磁弁４２ｄが設けられている。また、四方弁４１の第４の冷媒流通口と第４の電磁弁４２ｄとの間と第３の電磁弁４２ｃと第３の膨張弁４３ｃとの間が接続され、その間には第５の電磁弁４２ｅが設けられている。
【００２４】
第２の冷媒回路５０は、図１に示すように、各蒸発器２１、第２の圧縮機３２、カスケードコンデンサ３３、凝縮圧力調整弁３４、受液器３５、複数の第６の電磁弁５１及び複数の第４の膨張弁５２を備え、これらは冷媒流通用の配管によって接続されている。即ち、第２の圧縮機３２の吐出側にはカスケードコンデンサ３３の第２の冷媒回路５０側の吸入側が接続され、カスケードコンデンサ３３の第２の冷媒回路５０側の吐出側には受液器３５の吸入側が接続されている。このとき、カスケードコンデンサ３３の第２の冷媒回路５０側の吐出側と受液器３５の吸入側との間には凝縮圧力調整弁３４が設けられている。受液器３５の吐出側には各蒸発器２１の吸入側がそれぞれ並列に接続され、各蒸発器２１の吐出側には第２の圧縮機３２の吸入側がそれぞれ並列に接続されている。このとき、受液器３５の吐出側と各蒸発器２１の吸入側との間には第６の電磁弁５１がそれぞれ設けられ、各第６の電磁弁５１の各蒸発器２１側には第４の膨張弁５２がそれぞれ設けられている。
【００２５】
制御部６０はマイクロコンピュータからなり、図２に示すように、デシカントロータ１２、空調用送風機１３、再生用送風機１５、蒸発器用送風機２２、第１の圧縮機３１、第２の圧縮機３２、四方弁４１、第１、第２、第３、第４、第５及び第６の電磁弁４２ａ，４２ｂ，４２ｃ，４２ｄ，４２ｅ，５１及び運転切換スイッチ６１が接続されている。
【００２６】
以上のように構成された空気調和装置において、運転切換スイッチ６１によって除湿冷房運転が選択されると、図３に示すように、制御部６０はデシカントロータ１２、空調用送風機１３、再生用送風機１５、蒸発器用送風機２２、第１の圧縮機３１及び第２の圧縮機３２を運転する。また、制御部６０は四方弁４１の第１の冷媒流通口と第２の冷媒流通口を連通するとともに、第３の冷媒流通口と第４の冷媒流通口を連通し、第１、第３及び第４の電磁弁４２ａ，４２ｃ，４２ｄを開放して第２及び第５の電磁弁４２ｂ，４２ｅを閉鎖する。これにより、第１の圧縮機３１から吐出された冷媒は四方弁４１を介して第２の熱交換器１６に流通した後、一部の冷媒は第１の電磁弁４２ａ及び第２の膨張弁４３ｂを介して第１の熱交換器１４に流通するとともに、他の冷媒は第１の電磁弁４２ａ、第３の電磁弁４２ｃ及び第３の膨張弁４３ｃを介してカスケードコンデンサ３３に流通する。また、第１の熱交換器１４から吐出した冷媒は四方弁４１及び第４の電磁弁４２ｄを介して第１の圧縮機３１に吸入されるとともに、カスケードコンデンサ３３から吐出した冷媒も第１の圧縮機３１に吸入される。また、第２の圧縮機３２から吐出された冷媒は、カスケードコンデンサ３３を流通した後、第６の電磁弁５１及び第４の膨張弁５２を介して各蒸発器２１に流通し、第２の圧縮機３２に吸入される。
【００２７】
このとき、第１の電磁弁４２ａと第１の膨張弁４３ａ、第２の電磁弁４２ｂと第２の膨張弁４３ｂとはそれぞれ並列に第１の冷媒回路４０に接続され、電磁弁を開放することにより冷媒は電磁弁及び膨張弁にそれぞれ流通可能となる。しかし、開放された電磁弁は膨張弁と比較して流通する冷媒の圧力損失が著しく小さくなるために、流通する冷媒の殆どは膨張弁を流通することなく電磁弁に流通する。
【００２８】
このようにして、空調ユニット１０では、空調用送風機１３によって店舗Ａ内から第１の通風路１１ａに流通させた還気（ＲＡ）をデシカントロータ１２によって除湿し、除湿した空気を第１の熱交換器１４と熱交換させることにより冷却した後に給気（ＳＡ）として店舗Ａ内に供給する。また、再生用送風機１５によって店舗Ａ外から第２の通風路１１ｂに流通させた外気（ＯＡ）を第２の熱交換器１６と熱交換させて加熱し、加熱した空気をデシカントロータ１２に接触させることによりデシカントロータ１２のエレメント１２ａに吸着した水分を蒸発させる。これにより、デシカントロータ１２のエレメント１２ａが再生され、再生に利用されて水分を吸収した空気は排気（ＥＡ）として店舗Ａ外に排出される。また、各冷蔵ショーケース２０では、冷蔵ショーケース２０内の空気を蒸発器用送風機２２によって循環させ、循環する空気を蒸発器２１によって冷却することにより冷蔵ショーケース２０内の商品が冷却される。
【００２９】
このとき、冷凍機ユニット３０のカスケードコンデンサ３３では、第１の冷媒回路４０の冷媒と第２の冷媒回路５０の冷媒とが熱交換し、第１の冷媒回路４０の冷媒は蒸発するとともに、第２の冷媒回路５０の冷媒は凝縮する。これにより、第１の冷媒回路４０の冷媒は第１の熱交換器１４及びカスケードコンデンサ３３によって第２の通風路１１ｂを流通する空気を加熱するために必要な熱を吸収し、従来外気に排出されていた第２の冷媒回路５０の排熱が有効利用される。
【００３０】
また、冷蔵ショーケース２０の前面開口部から冷蔵ショーケース２０の前方の通路に冷気が下降することにより生ずるコールドエイルを防止するためには、高温・低湿の給気（ＳＡ）を冷蔵ショーケース２０の下部から通路に向かって吐出する。これにより、冷蔵ショーケース２０から下降する冷気と給気（ＳＡ）とが混合し、コールドエイルが解消される。
【００３１】
次に、運転切換スイッチ６１によって暖房運転が選択され、例えば店舗Ａ内の温度を検出することにより得られる店舗Ａ内の暖房負荷がカスケードコンデンサ３３の第２の冷媒回路５０側から放出される熱量よりも小さい場合には第１の暖房運転として、図４に示すように、制御部６０は空調用送風機１３、再生用送風機１５、蒸発器用送風機２２、第１の圧縮機３１及び第２の圧縮機３２を運転し、デシカントロータ１２を停止する。また、制御部６０は四方弁４１の第１の冷媒流通口と第２の冷媒流通口を連通するとともに、第３の冷媒流通口と第４の冷媒流通口を連通し、第１、第２及び第５の電磁弁４２ａ，４２ｂ，４２ｅを開放して第３及び第４の電磁弁４２ｃ，４２ｄを閉鎖する。これにより、第１の圧縮機３１から吐出された冷媒は、四方弁４１を介して第２の熱交換器１６に流通した後、第１の電磁弁４２ａ及び第２の電磁弁４２ｂを介して第１の熱交換器１４に流通する。また、第１の熱交換器１４から吐出した冷媒は四方弁４１、第５の電磁弁４２ｅ及び第３の膨張弁４３ｃを介してカスケードコンデンサ３３に流通し、カスケードコンデンサ３３から吐出した冷媒は第１の圧縮機３１に吸入される。また、第２の圧縮機３２から吐出された冷媒は、カスケードコンデンサ３３を流通した後、第６の電磁弁５１及び第４の膨張弁５２を介して各蒸発器２１に流通し、第２の圧縮機３２に吸入される。
【００３２】
このようにして、空調ユニット１０では、空調用送風機１３によって店舗Ａ内から第１の通風路１１ａに流通させた還気（ＲＡ）を第１の熱交換器１４と熱交換させることにより加熱した後に給気（ＳＡ）として店舗Ａ内に供給する。また、再生用送風機１５によって店舗Ａ外から第２の通風路１１ｂに流通させた外気（ＯＡ）を第２の熱交換器１６と熱交換させて加熱し、加熱した空気を排気（ＥＡ）として店舗Ａ外に排出する。また、各冷蔵ショーケース２０では、冷蔵ショーケース２０内の空気を蒸発器用送風機２２によって循環させ、循環する空気を蒸発器２１によって冷却することにより冷蔵ショーケース２０内の商品が冷却される。
【００３３】
このとき、冷凍機ユニット３０のカスケードコンデンサ３３では、第１の冷媒回路４０の冷媒と第２の冷媒回路５０の冷媒とが熱交換し、第１の冷媒回路４０の冷媒が蒸発するとともに、第２の冷媒回路５０の冷媒が凝縮する。これにより、第１の冷媒回路４０の冷媒はカスケードコンデンサ３３によって第１の通風路４０を流通する空気を加熱するために必要な熱を第２の冷媒回路５０から吸熱し、従来外気に排出されていた第２の冷媒回路５０の排熱が有効利用される。店舗Ａ内の暖房負荷が小さい場合には、再生用送風機１５の送風量を増加させることにより第１の熱交換器１４の交換熱量を減少させ、カスケードコンデンサ３３において吸収した熱を第２の熱交換器１６を中心に放熱させて第２の通風路１１ｂを流通する空気中に排熱として放出することが可能となる。店舗Ａ内の暖房負荷が大きい場合には、再生用送風機１５の送風量を低下させることにより第２の熱交換器１６の交換熱量を減少させてカスケードコンデンサ３３において吸収した熱を第１の熱交換器１４を中心に放熱させることが可能となる。更に、暖房運転時にデシカントロータ１２を運転することにより、店舗Ａ内の暖房運転を行うとともに、除湿を行うことも可能である。
【００３４】
また、運転切換スイッチ６１によって暖房運転が選択され、例えば店舗Ａ内の温度を検出することにより得られる店舗Ａ内の暖房負荷がカスケードコンデンサ３３の第２の冷媒回路５０側から放出される熱量よりも大きい場合には第２の暖房運転として、図５に示すように、制御部６０は空調用送風機１３、再生用送風機１５、蒸発器用送風機２２、第１の圧縮機３１及び第２の圧縮機３２を運転し、デシカントロータ１２を停止する。また、制御部６０は四方弁４１の第１の冷媒流通口と第４の冷媒流通口を連通するとともに、第２の冷媒流通口と第３の冷媒流通口を連通し、第２、第３及び第４の電磁弁４２ｂ，４２ｃ，４２ｄを開放して第１及び第５の電磁弁４２ａ，４２ｅを閉鎖する。これにより、第１の圧縮機３１から吐出された冷媒は、四方弁４１を介して第１の熱交換器１４に流通した後、一部の冷媒は第２の電磁弁４２ｂ及び第１の膨張弁４３ａを介して第２の熱交換器１６に流通するとともに、他の冷媒は第２の電磁弁４２ｂ、第３の電磁弁４２ｃ及び第３の膨張弁４３ｃを介してカスケードコンデンサ３３に流通する。また、第２の熱交換器１６から吐出した冷媒は四方弁４１及び第４の電磁弁４２ｄを介して第１の圧縮機３１に吸入されるとともに、カスケードコンデンサ３３から吐出した冷媒も第１の圧縮機３１に吸入される。また、第２の圧縮機３２から吐出された冷媒は、カスケードコンデンサ３３を流通した後、第６の電磁弁５１及び第４の膨張弁５２を介して各蒸発器２１に流通し、第２の圧縮機３２に吸入される。
【００３５】
このようにして、空調ユニット１０では、空調用送風機１３によって店舗Ａ内から第１の通風路１１ａに流通させた還気（ＲＡ）を第１の熱交換器１４と熱交換させることにより加熱した後に給気（ＳＡ）として店舗Ａ内に供給する。また、再生用送風機１５によって店舗Ａ外から第２の通風路１１ｂに流通させた外気（ＯＡ）を第２の熱交換器１６と熱交換させて冷却し、冷却した空気を排気（ＥＡ）として店舗Ａ外に排出する。また、各冷蔵ショーケース２０では、冷蔵ショーケース２０内の空気を蒸発器用送風機２２によって循環させ、循環する空気を蒸発器２１によって冷却することにより冷蔵ショーケース２０内の商品が冷却される。
【００３６】
このとき、冷凍機ユニット３０のカスケードコンデンサ３３では、第１の冷媒回路４０の冷媒と第２の冷媒回路５０の冷媒とが熱交換し、第１の冷媒回路４０の冷媒が蒸発するとともに、第２の冷媒回路５０の冷媒が凝縮する。これにより、第１の冷媒回路４０の冷媒は第２の熱交換器１６及びカスケードコンデンサ３３によって第１の通風路１１ａを流通する空気を加熱するために必要な熱量を吸熱し、従来外気に排出されていた第２の冷媒回路５０の排熱が有効利用される。店舗Ａ内の暖房負荷が大きい場合には、再生用送風機１５の送風量を増加させることにより第２の熱交換器１６の交換熱量を増加させて第２の熱交換器１６及びカスケードコンデンサ３３において吸収した熱を第１の熱交換器１４において放熱させることが可能となる。
【００３７】
このように、本実施形態の空気調和装置によれば、冷凍機ユニット３０のカスケードコンデンサ３３によって第１の冷媒回路４０の冷媒と第２の冷媒回路５０の冷媒とを熱交換させるとともに、第２の暖房運転によって第２の熱交換器１６を蒸発器として作用させるようにしたので、各冷蔵ショーケース２０の冷却運転によって吸収した熱を除湿冷房運転及び暖房運転に利用することができるとともに、店舗Ａ内の暖房負荷が冷蔵ショーケース２０の排熱の熱量よりも大きい場合には第２の熱交換器１６によって吸収した熱を暖房運転に利用することができ、従来店舗Ａ外に排出されていた冷蔵ショーケース２０の排熱を一年を通じて有効利用することができるとともに、暖房運転の熱量の不足分を第２の熱交換器１６によって補うことができる。
【００３８】
また、空調ユニット１０の第１の暖房運転時に暖房負荷が増加すると、再生用送風機１５の送風量を低下させるようにしたので、カスケードコンデンサ３３において吸熱した熱を主に第１の熱交換器１４の熱交換に利用することができ、十分な暖房能力を得ることができる。
【００３９】
また、カスケードコンデンサ３３の第２の冷媒回路５０側の吐出側にカスケードコンデンサ３３の冷蔵側凝縮圧力が所定の圧力以下にならないように調整する凝縮圧力調整弁３４を設けたので、第２の冷媒回路５０の凝縮圧力と蒸発圧力の差を所定の圧力差以下にならないようにすることができ、各冷蔵ショーケース２０の冷却能力の低下を防止することができる。
【００４０】
図６乃至図１０は本発明の他の実施形態を示すもので、図６は空気調和装置の冷媒回路図、図７は制御系を示すブロック図、図８は除湿冷房運転時の冷媒の流路を示す冷媒回路図、図９は第１の暖房運転時の冷媒の流路を示す冷媒回路図、図１０は第２の冷房運転時の冷媒の流路を示す冷媒回路図である。尚、前記実施形態と同等の構成部分には同一の符号を付して示す。
【００４１】
この空気調和装置は、前記実施形態のように空調ユニット１０側及び冷蔵ショーケース２０側の熱源としてのカスケードコンデンサ３３を備えることなく、空調ユニット１０側及び冷蔵ショーケース２０側の冷凍サイクルを構成する冷媒回路７０を備えている。
【００４２】
冷媒回路７０は、図６に示すように、第１の熱交換器１４、第２の熱交換器１６、各蒸発器２１、第１の圧縮機３１、第２の圧縮機３２、四方弁７１、第１、第２、第３、第４及び第５の電磁弁７２ａ，７２ｂ，７２ｃ，７２ｄ，７２ｅ、第１、第２及び第３の膨張弁７３ａ，７３ｂ，７３ｃを備え、これらは冷媒流通用の配管によって接続されている。即ち、第１の圧縮機３１の吐出側には四方弁７１の第１の冷媒流通口が接続され、四方弁７１の第２の冷媒流通口には第２の熱交換器１６の一端側が接続されている。第２の熱交換器１６の他端側には第１の熱交換器１４の一端側が接続され、第１の熱交換器１４の他端側には四方弁７１の第３の冷媒流通口が接続されている。このとき、第２の熱交換器１６の他端側と第１の熱交換器１４の一端側との間には第１の電磁弁７２ａ及び第１の膨張弁７３ａがそれぞれ並列に設けられ、それぞれ並列に設けられた第１の電磁弁７２ａ及び第１の膨張弁７３ａと第１の熱交換器１４の一端側との間には第２の電磁弁７２ｂ及び第２の膨張弁７３ｂがそれぞれ並列に設けられている。また、第１の電磁弁７２ａ及び第１の膨張弁７３ａと第２の電磁弁７２ｂ及び第２の膨張弁７３ｂとの間には各蒸発器２１の吸入側がそれぞれ並列に接続され、各蒸発器２１の吐出側には第２の圧縮機３２の吸入側がそれぞれ並列に接続されている。このとき、第１の電磁弁７２ａ及び第１の膨張弁７３ａと第２の電磁弁７２ｂ及び第２の膨張弁７３ｂとの間と各蒸発器２１の吸入側との間には第３の電磁弁７２ｃが設けられ、第３の電磁弁７２ｃと各蒸発器２１の吸入側との間にはそれぞれ第５の電磁弁７２ｅが設けられている。また、第５の電磁弁７２ｅと蒸発器２１の吸入側との間には第３の膨張弁７３ｃが設けられている。第２の圧縮機３２の吐出側には第１の圧縮機３１の吐出側と四方弁７１の第１の冷媒流通口との間が接続され、四方弁７１の第４の冷媒流通口には第１の圧縮機３１の吸入側が接続されている。また、第１の熱交換器１４の他端側と四方弁７１の第３の冷媒流通口との間には第３の電磁弁７２ｃと各第５の電磁弁７２ｅとの間が接続され、その間には第４の電磁弁７２ｄが設けられている。
【００４３】
制御部８０は、図７に示すように、デシカントロータ１２、空調用送風機１３、再生用送風機１５、蒸発器用送風機２２、第１の圧縮機３１、第２の圧縮機３２、第１、第２、第３、第４及び第５電磁弁７２ａ，７２ｂ，７２ｃ，７２ｄ，７２ｅ及び運転切換スイッチ６１が接続されている。
【００４４】
以上のように構成された空気調和装置において、運転切換スイッチ６１によって除湿冷房運転が選択されると、図８に示すように、制御部８０はデシカントロータ１２、空調用送風機１３、再生用送風機１５、蒸発器用送風機２２、第１の圧縮機３１及び第２の圧縮機３２を運転する。また、制御部８０は四方弁７１の第１の冷媒流通口と第２の冷媒流通口を連通するとともに、第３の冷媒流通口と第４の冷媒流通口を連通し、第１、第３及び第５の電磁弁７２ａ，７２ｃ，７２ｅを開放して第２及び第４の電磁弁７２ｂ，７２ｄを閉鎖する。これにより、第１の圧縮機３１及び第２の圧縮機３２から吐出された冷媒は四方弁７１を介して第２の熱交換器１６に流通した後、一部の冷媒は第１の電磁弁７２ａ及び第２の膨張弁７３ｂを介して第１の熱交換器１４に流通し、第１の熱交換器１４から吐出した冷媒は四方弁７１を介して第１の圧縮機３１に吸入される。また、他の冷媒は第１の電磁弁７２ａ、第３の電磁弁７２ｃ、第５の電磁弁７２ｅ及び第３の膨張弁７３ｃを介して蒸発器２１に流通し、蒸発器２１から吐出した冷媒は第２の圧縮機３２に吸入される。
【００４５】
このとき、第１の電磁弁７２ａと第１の膨張弁７３ａ、第２の電磁弁７２ｂと第２の膨張弁７３ｂとはそれぞれ並列に冷媒回路に接続され、電磁弁を開放することにより冷媒は電磁弁及び膨張弁にそれぞれ流通可能となる。しかし、開放された電磁弁は膨張弁と比較して流通する冷媒の圧力損失が著しく小さくなるために、流通する冷媒の殆どは膨張弁を流通することなく電磁弁に流通する。
【００４６】
このようにして、空調ユニット１０では、空調用送風機１３によって店舗Ａ内から第１の通風路１１ａに流通させた還気（ＲＡ）をデシカントロータ１２によって除湿し、除湿した空気を第１の熱交換器１４と熱交換させることにより冷却した後に給気（ＳＡ）として店舗Ａ内に供給する。また、再生用送風機１５によって店舗Ａ外から第２の通風路１１ｂに流通させた外気（ＯＡ）を第２の熱交換器１６と熱交換させて加熱し、加熱した空気をデシカントロータ１２に接触させることによりデシカントロータ１２のエレメント１２ａに吸着した水分を蒸発させる。これにより、デシカントロータ１２のエレメント１２ａが再生され、再生に利用されて水分を吸着した空気は排気（ＥＡ）として店舗Ａ外に排出される。また、各冷蔵ショーケース２０では、冷蔵ショーケース２０内の空気を蒸発器用送風機２２によって循環させ、循環する空気を蒸発器２１によって冷却することにより冷蔵ショーケース２０内の商品が冷却される。
【００４７】
このとき、冷媒回路７０の冷媒は第１の熱交換器１４及び蒸発器２１によって第２の通風路１１ｂを流通する空気を加熱するために必要な熱量を吸熱し、従来外気に排出されていた冷蔵ショーケース２０の排熱が有効利用される。
【００４８】
また、冷蔵ショーケース２０の前面開口部から冷蔵ショーケース２０の前方の通路に冷気が下降することにより生ずるコールドエイルを防止するためには、高温、低湿の給気（ＳＡ）を冷蔵ショーケース２０の下部から通路に向かって吐出する。これにより、冷蔵ショーケース２０から下降する冷気と給気（ＳＡ）とが混合し、コールドエイルが解消される。
【００４９】
次に、運転切換スイッチ６１によって暖房運転が選択され、例えば店舗Ａ内の温度を検出することにより得られる店舗Ａ内の暖房負荷が冷蔵ショーケース２０の蒸発器２１が吸熱した熱量よりも小さい場合には第１の暖房運転として、図９に示すように、制御部８０は空調用送風機１３、再生用送風機１５、蒸発用送風機２２、第２の圧縮機３２を運転し、デシカントロータ１２及び第１の圧縮機３１を停止する。また、制御部８０は四方弁７１の第１の冷媒流通口と第２の冷媒流通口を連通するとともに、第３の冷媒流通口と第４の冷媒流通口を連通し、第１、第２、第４及び第５の電磁弁７２ａ，７２ｂ，７２ｄ，７２ｅを開放して第３の電磁弁７２ｃを閉鎖する。これにより、第２の圧縮機３２から吐出された冷媒は、四方弁７１を介して第２の熱交換器１６に流通した後、第１の電磁弁７２ａ及び第２の電磁弁７２ｂを介して第１の熱交換器１４に流通する。また、第１の熱交換器１４から吐出した冷媒は第４の電磁弁７２ｄ、第５の電磁弁７２ｅ及び第３の膨張弁７３ｃを介して蒸発器２１に流通し、蒸発器２１から吐出した冷媒は第２の圧縮機３２に吸入される。
【００５０】
このようにして、空調ユニット１０では、空調用送風機１３によって店舗Ａ内から第１の通風路１１ａに流通させた還気（ＲＡ）を第１の熱交換器１４と熱交換させることにより加熱した後に給気（ＳＡ）として店舗Ａ内に供給する。また、再生用送風機１５によって店舗Ａ外から第２の通風路１１ｂに流通させた外気（ＯＡ）を第２の熱交換器１６と熱交換させて加熱し、加熱した空気を排気（ＥＡ）として店舗Ａ外に排出する。また、各冷蔵ショーケース２０では、冷蔵ショーケース２０内の空気を蒸発器用送風機２２によって循環させ、循環する空気を蒸発器２１によって冷却することにより冷蔵ショーケース２０内の商品が冷却される。
【００５１】
このとき、冷媒回路７０の冷媒は蒸発器２１によって第１の通風路１１ａを加熱するために必要な熱量を吸熱し、従来外気に排出されていた冷蔵ショーケース２０の排熱が有効利用される。店舗Ａ内の暖房負荷が小さい場合には、再生用送風機１５の送風量を増加させることにより第１の熱交換器１４の交換熱量を減少させ、蒸発器２１において吸収した熱量を第２の熱交換器１６を中心に放熱させて第２の通風路１１ｂを流通する空気中に排熱として放出することが可能となる。店舗Ａ内の暖房負荷が大きい場合には、再生用送風機１５の送風量を低下させることにより第２の熱交換器１６の交換熱量を減少させ、蒸発器２１において吸収した熱を第１の熱交換器１４を中心に放熱させることが可能となる。更に、暖房運転時にデシカントロータ１２を運転することにより、店舗Ａ内の暖房運転を行うとともに、除湿を行うことも可能である。
【００５２】
また、運転切換スイッチ６１によって暖房運転が選択され、例えば店舗Ａ内の温度を検出することにより得られる店舗Ａ内の暖房負荷が冷蔵ショーケース２０の蒸発器２１が吸熱した熱量よりも大きい場合には第２の暖房運転として、図１０に示すように、制御部８０は空調用送風機１３、再生用送風機１５、蒸発器用送風機２２、第１の圧縮機３１、第２の圧縮機３２を運転し、デシカントロータ１２を停止する。また、制御部８０は四方弁７１の第１の冷媒流通口と第４の冷媒流通口を連通するとともに、第２の冷媒流通口と第３の冷媒流通口を連通し、第２、第３及び第５の電磁弁７２ｂ，７２ｃ，７２ｅを開放して第１及び第４の電磁弁７３ａ，７３ｄを閉鎖する。これにより、第１の圧縮機３１及び第２の圧縮機３２から吐出された冷媒は、四方弁７１を介して第１の熱交換器１４に流通した後、一部の冷媒は第２の電磁弁７２ｂ及び第１の膨張弁７３ａを介して第２の熱交換器１６に流通し、第２の熱交換器１６から吐出する冷媒は第１の圧縮機３１に吸入される。また、他の冷媒は第２の電磁弁７２ｂ、第３の電磁弁７２ｃ、第５の電磁弁７２ｅ及び第３の膨張弁７３ｃを介して蒸発器２１に流通し、蒸発器２１から吐出する冷媒は第２の圧縮機３２に吸入される。
【００５３】
このようにして、空調ユニット１０では、空調用送風機１３によって店舗Ａ内から第１の通風路１１ａに流通させた還気（ＲＡ）を第１の熱交換器１４と熱交換させることにより加熱した後に給気（ＳＡ）として店舗Ａ内に供給する。また、再生用送風機１５によって店舗Ａ外から第２の通風路１１ｂに流通させた外気（ＯＡ）を第２の熱交換器１６と熱交換させて冷却し、冷却した空気を排気（ＥＡ）として店舗Ａ外に排出する。また、各冷蔵ショーケース２０では、冷蔵ショーケース２０内の空気を蒸発器用送風機２２によって循環させ、循環する空気を蒸発器２１によって冷却することにより冷蔵ショーケース２０内の商品が冷却される。
【００５４】
このとき、冷媒回路７０の冷媒は第２の熱交換器１６及び蒸発器２１によって第１の通風路１１ａを流通する空気を加熱するために必要な熱量を吸熱し、従来外気に排出されていた冷蔵ショーケース２０の排熱が有効利用される。店舗Ａ内の暖房負荷が大きい場合には、再生用送風機１５の送風量を増加させることにより第２の熱交換器１６の交換熱量を増加させ、第２の熱交換器１６及び蒸発器２１において吸収した熱を第１の熱交換器１４において放熱させることが可能となる。
【００５５】
このように、本実施形態の空気調和装置によれば、各冷蔵ショーケース２０の蒸発器２１によって冷媒回路７０の冷媒を蒸発させるとともに、第２の暖房運転によって第２の熱交換器１６を蒸発器として作用させるようにしたので、各冷蔵ショーケース２０の冷却運転によって吸収した熱を除湿冷房運転及び暖房運転に利用することができるとともに、店舗Ａ内の暖房負荷が冷蔵ショーケース２０の排熱の熱量よりも大きい場合には第２の熱交換器１６によって吸収した熱を暖房運転に利用することができ、従来店舗Ａ外に排出されていた冷蔵ショーケース２０の排熱を一年を通じて有効利用することができるとともに、暖房運転の熱量の不足分を第２の熱交換器１６によって補うことができる。
【００５６】
尚、前記実施形態では、冷蔵ショーケース２０内の冷却によって第２の冷媒回路５０の蒸発器２１が吸収した排熱をカスケードコンデンサ３３において第１の冷媒回路４０の冷媒に吸熱させるようにしたものを示したが、図１１に示すように、第２の冷媒回路５０に第４の熱交換器９１をカスケードコンデンサ３３と直列または並列に設け、空調ユニット１０の運転を停止したときに電磁弁９３を閉鎖して熱交換用送風機９２によって店舗Ａ外の空気と熱交換するようにして各冷蔵ショーケース２０の排熱を放出するようにしてもよい。この場合、第１の冷媒回路４０の運転を停止した場合でも熱交換用送風機９２を運転することにより第２の冷媒回路５０の運転を継続することができ、空調ユニット１０が故障等により運転することができない場合でもバックアップとして冷蔵ショーケース２０の冷却運転を継続することができる。
【００５７】
また、前記実施形態では、空調用送風機１３によって店舗Ａ内から第１の通風路１１ａに流通させた還気（ＲＡ）をデシカントロータ１２によって除湿し、除湿した空気を第１の熱交換器１４と熱交換させて冷却した後に給気（ＳＡ）として店舗Ａ内に供給するとともに、再生用送風機１５によって店舗Ａ外から第２の通風路１１ｂに流通させた外気（ＯＡ）を第２の熱交換器１６と熱交換させて加熱し、加熱した空気をデシカントロータ１２のエレメント１２ａに接触させることにより吸湿したデシカントロータ１２を再生し、再生に利用された空気を排気（ＥＡ）として外部に排出するように空調ユニット１０を構成したものを示したが、図１２に示すように、第１及び第２の通風路１１ａ，１１ｂに亘って設けられた顕熱交換器９４によって第１の通風路１１ａの第１の熱交換器１４と熱交換する前の空気と第２の通風路１１ｂの第２の熱交換器１６と熱交換する前の空気とを熱交換させるようにしてもよい。この場合、デシカントロータ１２によって還気（ＲＡ）が除湿されることにより空気の絶対湿度は低下するが温度は上昇するため、除湿された空気と外気（ＯＡ）とを顕熱交換器９４によって熱交換することにより第１の通風路１１ａを流通する空気を冷却するとともに、第２の通風路１１ｂを流通する空気を加熱する。これにより、デシカントロータ１２によって除湿された空気の温度を上昇させることなく第１の熱交換器１４と熱交換させることができる。
【００５８】
また、前記実施形態では、空調ユニット１０の第１の熱交換器１４をデシカントロータの１２下流側に配置したものを示したが、第１の熱交換器１４をデシカントロータの上流側に配置するようにしてもよい。この場合、デシカントロータ１２において還気（ＲＡ）を除湿前に冷却することにより相対湿度を高くすることができ、デシカントロータ１２の除湿効率を向上させることができる。
【００５９】
また、前記実施形態では、一組の第１の冷媒回路４０によって空調ユニット１０に冷蔵ショーケース２０の排熱を供給するようにしたものを示したが、複数の第１の冷媒回路４０を並列または直列に接続して空調ユニット１０に冷蔵ショーケース２０の排熱を供給するようにしてもよい。
【００６０】
また、前記実施形態では、冷蔵ショーケース２０の冷却運転によって冷媒が吸収した熱を空調ユニット１０に供給するようにしたものを示したが、冷凍ショーケースやその他冷却回路を構成するシステムの冷却運転の排熱を空調ユニット１０に供給するようにしてもよい。
【図面の簡単な説明】
【００６１】
【図１】本発明の一実施形態を示す空気調和装置の冷媒回路図
【図２】制御系を示すブロック図
【図３】除湿冷房運転時の冷媒の流路を示す冷媒回路図
【図４】第１の暖房運転時の冷媒の流路を示す冷媒回路図
【図５】第２の暖房運転時の冷媒の流路を示す冷媒回路図
【図６】本発明の他の実施形態を示す空気調和装置の冷媒回路図
【図７】制御系を示すブロック図
【図８】除湿冷房運転時の冷媒の流路を示す冷媒回路図
【図９】第１の暖房運転時の冷媒の流路を示す冷媒回路図
【図１０】第２の冷房運転時の冷媒の流路を示す冷媒回路図
【図１１】その他の実施形態を示す空気調和装置の冷媒回路図
【図１２】その他の実施形態を示す空気調和装置の冷媒回路図
【符号の説明】
【００６２】
１０…空調ユニット、１１ａ…第１の通風路、１１ｂ…第２の通風路、１２…デシカントロータ、１４…第１の熱交換器、１５…再生用送風機、１６…第２の熱交換器、２１…蒸発器、３０…冷凍機ユニット、３１…第１の圧縮機、３２…第２の圧縮機、３３…カスケードコンデンサ、３４…凝縮圧力調整弁、４０…第１の冷媒回路、５０…第２の冷媒回路、６０…制御部、７０…冷媒回路、８０…制御部、Ａ…店舗。
【図１】
2006038293.tif 000003
【図２】
2006038293.tif 000004
【図３】
2006038293.tif 000005
【図４】
2006038293.tif 000006
【図５】
2006038293.tif 000007
【図６】
2006038293.tif 000008
【図７】
2006038293.tif 000009
【図８】
2006038293.tif 000010
【図９】
2006038293.tif 000011
【図１０】
2006038293.tif 000012
【図１１】
2006038293.tif 000013
【図１２】
2006038293.tif 000014